(57)【要約】【課題】防塵用のゴムによって撮像素子パッケージを封止する場合において、防塵用のゴムの付勢力によって、撮像素子の位置がずれることがあった。【解決手段】本発明の具体的態様における撮像素子ユニットは、被写体光束を受光する撮像チップが設けられた撮像素子パッケージと、被写体光束が入射する面とは反対の面の側で、撮像素子パッケージを支持する支持部材と、被写体光束を透過させる光学部材と、光学部材と支持部材に介在して、光学部材と支持部材の間を封止する弾性部材と、撮像素子パッケージのうち被写体光束が入射する面に付勢力を加えることなく、光学部材を支持部材へ向けて付勢する付勢部材とを備える。【選択図】図１
2015076671.tif 000002
【特許請求の範囲】
【請求項１】
被写体光束を受光する撮像チップが設けられた撮像素子パッケージと、
前記被写体光束が入射する面とは反対の面の側で、前記撮像素子パッケージを支持する支持部材と、
前記被写体光束を透過させる光学部材と、
前記光学部材と前記支持部材に介在して、前記光学部材と前記支持部材の間を封止する弾性部材と、
前記撮像素子パッケージのうち前記被写体光束が入射する面に付勢力を加えることなく、前記光学部材を前記支持部材へ向けて付勢する付勢部材と
を備える撮像素子ユニット。
【請求項２】
前記撮像素子パッケージは、周縁部と、前記周縁部より突出して環囲された空間を形成する壁部とを有し、
前記撮像チップは、前記空間に収容されて設けられ、
前記支持部材は、前記周縁部に接して前記撮像素子パッケージを支持する請求項１に記載の撮像素子ユニット。
【請求項３】
前記支持部材は、前記壁部を挿通する孔を有し、
前記付勢部材は，前記光学部材のうち、前記支持部材の前記孔に対応する領域を除く領域を付勢する請求項２に記載の撮像素子ユニット。
【請求項４】
前記弾性部材は、前記壁部の壁面を環囲して密着することにより前記撮像素子パッケージと前記光学部材の間に密封空間を形成する請求項２または３に記載の撮像素子ユニット。
【請求項５】
前記撮像素子パッケージは、前記空間を閉塞する透光部材を有し、
前記弾性部材は、前記透光部材の外周を環囲して密着することにより前記撮像素子パッケージと前記光学部材の間に密封空間を形成する請求項２または３に記載の撮像素子ユニット。
【請求項６】
前記弾性部材は、前記壁部の壁面と対向する前記支持部材の孔の側面に密着する請求項４または５に記載の撮像素子ユニット。
【請求項７】
前記壁部の壁面を環囲して密着する封止部材を備え、
前記封止部材は、前記撮像素子パッケージと前記光学部材の間に密封空間を形成する請求項３または４に記載の撮像素子ユニット。
【請求項８】
前記撮像素子パッケージは、前記空間を閉塞する透光部材を有し、
前記透光部材の外周面を環囲して密着する封止部材を備え、
前記封止部材は、前記撮像素子パッケージと前記光学部材の間に密封空間を形成する請求項２または３に記載の撮像素子ユニット。
【請求項９】
前記封止部材は、前記壁部の壁面と対向する前記支持部材の孔の側面に密着する請求項７または８に記載の撮像素子ユニット。
【発明の詳細な説明】
【技術分野】
【０００１】
本発明は、撮像素子ユニットに関する。
【背景技術】
【０００２】
撮像素子の受光面と光学フィルタの間に、防塵用のゴムを設けた撮像素子が知られている。
［先行技術文献］
［特許文献］
［特許文献１］  特開２００６−１００８７８号公報
【発明の概要】
【発明が解決しようとする課題】
【０００３】
防塵用のゴムによって撮像素子パッケージを封止する場合において、防塵用のゴムの付勢力によって、撮像素子の位置がずれることがあった。
【課題を解決するための手段】
【０００４】
本発明の具体的態様における撮像素子ユニットは、被写体光束を受光する撮像チップが設けられた撮像素子パッケージと、被写体光束が入射する面とは反対の面の側で、撮像素子パッケージを支持する支持部材と、被写体光束を透過させる光学部材と、光学部材と支持部材に介在して、光学部材と支持部材の間を封止する弾性部材と、撮像素子パッケージのうち被写体光束が入射する面に付勢力を加えることなく、光学部材を支持部材へ向けて付勢する付勢部材とを備える。
【０００５】
なお、上記の発明の概要は、本発明の特徴の全てを列挙したものではない。また、これらの特徴群のサブコンビネーションもまた、発明となりうる。
【図面の簡単な説明】
【０００６】
【図１】本実施形態に係る撮像素子ユニットの斜視図である。
【図２】本実施形態に係る撮像素子ユニットの分解斜視図である。
【図３】図１における撮像素子ユニットのＡ−Ａ断面図である。
【図４】図３における撮像素子ユニットのＢ部を模式的に示した部分拡大図である。
【図５】図３における撮像素子ユニットのＢ部の変形例を模式的に示した部分拡大図である。
【図６】図３における撮像素子ユニットのＢ部の変形例を模式的に示した部分拡大図である。
【図７】図３における撮像素子ユニットのＢ部の変形例を模式的に示した部分拡大図である。
【発明を実施するための形態】
【０００７】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【０００８】
図１は、本実施形態に係る撮像素子ユニット１０の斜視図である。図示するように、被写体側から撮像素子ユニット１０へ向かう方向をＺ軸プラス方向と定め、Ｚ軸と直交する平面において、Ｚ軸プラス方向から見て撮像素子ユニット１０の右側へ向かう方向をＸ軸プラス方向、Ｚ軸プラス方向から見て撮像素子ユニット１０の上側へ向かう方向をＹ軸プラス方向と定める。以降のいくつかの図においては、図１の座標軸を基準として、それぞれの図の向きがわかるように座標軸を表示する。
【０００９】
本実施形態に係る撮像素子ユニット１０は、例えばデジタルカメラ、デジタルビデオカメラ等の撮像装置に組込まれて使用される。撮像素子ユニット１０は、支持部材１４、光学部材１６、付勢部材２０およびビス２２を含む。
【００１０】
付勢部材２０は、ビス２２により支持部材１４のＺ軸マイナス側の面に固定される。光学部材１６は、支持部材１４と付勢部材２０の間の空間に配置される。詳しくは後述するが、支持部材１４と付勢部材２０の間の空間には、さらに、撮像素子パッケージおよび弾性部材が配置される。
【００１１】
図２は、本実施形態に係る撮像素子ユニット１０の分解斜視図である。撮像素子ユニット１０は、撮像素子パッケージ１２、支持部材１４、光学部材１６、弾性部材１８、付勢部材２０部材およびビス２２とを主要な構成部材とする。
【００１２】
支持部材１４は、撮像素子パッケージ１２のＺ軸マイナス側に配置される。弾性部材１８は、支持部材１４のＺ軸マイナス側に配置される。光学部材１６は、弾性部材１８のＺ軸マイナス側に配置される。付勢部材２０は、光学部材１６のＺ軸マイナス側に配置される。
【００１３】
撮像素子パッケージ１２は、周縁部２４および壁部２６を有する。周縁部２４は、撮像素子パッケージ１２のＺ軸プラス側の端面からＹ軸プラス方向およびＹ軸マイナス方向に鍔状に延出して形成される。壁部２６は、Ｚ軸マイナス方向に環状に突出して形成される。壁部２６の具体的な構造は、後述する。
【００１４】
撮像素子パッケージ１２は、さらに透光部材としての保護ガラス２８を含む。保護ガラス２８は、ＸＹ平面に平行に配置されるガラス板である。保護ガラス２８は、撮像素子パッケージ１２のＺ軸マイナス側の端部に配置される。撮像素子パッケージ１２は、基板３０のＺ軸マイナス側の面に実装される。
【００１５】
支持部材１４は、例えばＳＵＳなどの金属板により形成される。支持部材１４は、壁部２６を挿通する挿通孔３２を有する。挿通孔３２は、壁部２６の外形よりも若干大きく形成されている。また、挿通孔３２は、周縁部２４の外形よりも小さく形成されている。
【００１６】
壁部２６は、支持部材１４のＺ軸プラス側から挿通孔３２に挿通される。そして、支持部材１４は、被写体光束が入射する面とは反対の面で、撮像素子パッケージ１２を例えば接着剤を使用して支持する。壁部２６の一部および保護ガラス２８は、挿通孔３２から露出される。
【００１７】
挿通孔３２は、周縁部２４の外形より小さく形成されている。したがって、周縁部２４は、挿通孔３２から抜けることなく支持部材１４と当接する。つまり、撮像素子パッケージ１２のＺ軸方向への変位は、支持部材１４により規制される。周縁部２４は、例えば接着材により支持部材１４に固定される。
【００１８】
弾性部材１８は、例えばゴムによって形成される。弾性部材１８には、ＸＹ平面に開口部３４が形成される。弾性部材１８は、Ｚ軸方向に厚みを持ったゴム板である。開口部３４には、保護ガラス２８の外周が挿通される。開口部３４は、保護ガラス２８の外形よりも小さく形成される。したがって、弾性部材１８は、保護ガラス２８の外周を環囲して密着する。
【００１９】
光学部材１６は、例えばローパスフィルタである。光学部材１６は、モアレの発生を低減させる目的で使用される。
【００２０】
付勢部材２０は、例えばＳＵＳなどの金属板により形成される。付勢部材２０には、ＸＹ平面に開口部３６が形成される。付勢部材２０のＺ軸プラス側の面から支持部材１４のＺ軸マイナス側の面までのＺ軸方向の寸法は、弾性部材１８のＺ軸方向の寸法と光学部材１６のＺ軸方向の寸法を足した寸法より小さい。
【００２１】
したがって、ビス２２を使用して付勢部材２０が支持部材１４に固定されると、付勢部材２０は、光学部材１６をＺ軸プラス方向に付勢する。そして、光学部材１６は、弾性部材１８をＺ軸プラス方向に付勢する。したがって、弾性部材１８は、Ｚ軸マイナス側の面において光学部材１６と密着する。同様に、弾性部材１８は、Ｚ軸プラス側の面において支持部材１４と密着する。
【００２２】
詳しくは後述するが、弾性部材１８は、保護ガラス２８の外周、支持部材１４のＺ軸マイナス側の面および光学部材１６のＺ軸プラス側の面と密着する。したがって、弾性部材１８は、光学部材１６と保護ガラス２８の間に密封空間を形成することができる。
【００２３】
図３は、図１における撮像素子ユニット１０のＡ−Ａ断面図である。撮像素子パッケージ１２は、基台部２３を有する。基台部２３は、ＸＹ平面に平行な矩形の平板である。壁部２６は、基台部２３からＺ軸マイナス方向に環状に突出して形成される。基台部２３と壁部２６は、環囲された空間を形成する。撮像素子パッケージ１２は、基台部２３と壁部２６により形成される空間に、被写体光束を受光するための撮像チップ２７を収容する。撮像チップは、基台部２３と壁部２６により形成される空間の内部において、基台部２３のＺ軸マイナス側の面に配置される。
【００２４】
保護ガラス２８は、例えば接着剤により壁部２６と固定される。保護ガラス２８は、基台部２３と壁部２６により形成される空間を閉塞する。したがって、保護ガラス２８は、撮像チップ２７を塵等の異物から保護することができる。
【００２５】
図３においては、弾性部材１８の内周面は、保護ガラス２８の側面と密着している。なお、弾性部材１８は、保護ガラス２８の外周を環囲して取り付けられているので、Ｙ軸方向にも同様に保護ガラス２８と密着している。
【００２６】
弾性部材１８は、光学部材１６と支持部材１４の間に介在している。弾性部材１８は、光学部材１６を介して付勢部材２０により付勢される。したがって、弾性部材１８は、Ｚ軸方向に光学部材１６および支持部材１４と密着している。
【００２７】
弾性部材１８は、保護ガラス２８の外周を環囲して密着する。ゆえに、弾性部材１８は、光学部材１６と保護ガラス２８の間に密封空間を形成することができる。したがって、光学部材１６と保護ガラス２８との間には、塵等の異物が、侵入しにくくなる。
【００２８】
本実施形態においては、撮像素子パッケージ１２が挿通孔３２を介して支持部材１４のＺ軸マイナス側の面に取り付けられる例を示した。壁部２６は、挿通孔３２に挿通される。したがって、撮像素子パッケージ１２を支持部材１４に取り付けた場合のＺ軸方向の寸法は、撮像素子パッケージ１２のＺ軸方向の寸法となる。つまり、撮像素子パッケージ１２を支持部材１４のＺ軸マイナス側の面に取り付けた場合よりも、Ｚ軸方向の寸法は小さい。すなわち、撮像素子ユニット１０を、小型化することができる。
【００２９】
図４は、図３における撮像素子ユニット１０のＢ部を模式的に示した部分拡大図である。弾性部材１８は、ベース部１９、第１接触部３８および第２接触部４０を含む。ベース部１９は、ＸＹ平面において挿通孔３２の形状に沿って形成される。第１接触部３８は、ベース部１９のＺ軸マイナス側の面から突状に形成される。第１接触部３８は、挿通孔３２に対応する領域を除く領域、すなわち、図示するように挿通孔３２より外側に形成される。第１接触部３８は、保護ガラス２８を囲うように形成される。
【００３０】
付勢部材２０は、Ｚ軸プラス方向に光学部材１６を付勢する。したがって、光学部材１６は、第１接触部３８と密着する。
【００３１】
付勢部材２０によるＺ軸プラス方向への付勢力は、白抜き矢印で示すように挿通孔３２より外側で作用するので、支持部材１４が受ける。したがって、付勢部材２０は、撮像素子パッケージ１２に対してＺ軸プラス方向の付勢力を加えることがない。
【００３２】
第２接触部４０は、ベース部１９からＸ軸プラス方向に延出して形成される。第２接触部４０は、保護ガラス２８の外周を環囲するように形成される。第２接触部４０は、ＸＹ平面における開口が、保護ガラス２８の外形よりも小さく形成される。したがって、第２接触部４０は、保護ガラス２８の外周に対して全周に亘って密着する。
【００３３】
一般的に、支持部材に挿通孔を設けて撮像パッケージの一部をくぐらせ、支持部材の裏面側（Ｚ軸プラス側の面）で撮像パッケージを支持すれば、ユニット全体として光軸方向の厚みを小さくすることができる。しかし、表面側（Ｚ軸マイナス側の面）から撮像パッケージを付勢して密封空間を形成する場合、付勢部材の個体差、あるいは組み付け時における荷重により不均一に撮像パッケージを押圧してしまう場合があった。この場合、撮像パッケージの撮像面が光軸に対して傾いてしまう面倒れが生じてしまうことがあった。さらには、撮像パッケージと支持部材を接着する接着剤が剥離することもあった。
【００３４】
本実施形態においては、付勢部材２０は、撮像素子パッケージ１２のうち被写体光束が入射する面に付勢力を加えることなく、光学部材１６を支持部材１４へ向けて付勢するので、面倒れおよび接着剤の剥離の発生を極力回避することができる。
【００３５】
本実施形態によれば、第２接触部４０が保護ガラス２８の側面で接触する。第２接触部は、弾性部材１８の一部であって、中心側へ向かって延びるように形成されている。したがって、第２接触部４０と保護ガラス２８とが互いに密接する部分には、矢印で示す付勢力が伝達しにくい。すなわち、保護ガラス２８の側面が、Ｚ軸プラス方向への付勢力を受けにくい。したがって、本実施形態における撮像素子ユニット１０の構造によれば、撮像素子パッケージ１２に面倒れが生じにくく、また、接着剤の剥離も生じにくい。
【００３６】
図５は、図３における撮像素子ユニット１０のＢ部の変形例を模式的に示した部分拡大図である。なお、図５（ａ）、（ｂ）に示す変形例においても、弾性部材１８は、保護ガラス２８の外周、支持部材１４のＺ軸マイナス側の面および光学部材１６のＺ軸プラス側の面と密着する。すなわち、図４を用いて説明した撮像素子ユニット１０と同様に、弾性部材１８は、光学部材１６と保護ガラス２８の間に密封空間を形成することができる。なお、以下の変形例における主な要素は、上記の実施形態で説明した撮像素子ユニット１０と同様であるので、同じ要素に同一番号を付してその説明を省略する。
【００３７】
図５（ａ）は、弾性部材１８の変形例を模式的に拡大して示す図である。弾性部材１８は、ベース部１９、第１接触部３８および第２接触部４４を含む。第２接触部４４は、ベース部１９からＸ軸プラス方向に延出し、先端部に突部４５を有して形成される。突部４５は、保護ガラス２８の外周を環囲するように形成される。突部４５の内周は、ＸＹ平面において保護ガラス２８よりも小さく形成される。したがって、突部４５は、保護ガラス２８の外周と密着する。
【００３８】
突部４５は、ベース部１９に対して相対的に小さく形成される。したがって、図５（ａ）においては、突部５４は保護ガラス２８の側面と密着している。なお、突部４５は、保護ガラス２８の外周を環囲するので、保護ガラス２８の側面によりＸ軸プラス方向、Ｙ軸プラス方向およびＹ軸マイナス方向へも同様に付勢される。
【００３９】
第２接触部４４は、突部４５がＸ軸方向へ変形しやすく形成される。したがって、保護ガラス２８の外周が突部４５を付勢した場合に、突部４５は変形する。しかしながら、ベース部１９に突部４５の変形に伴う力は伝達されないので、ベース部１９は変形しない。つまり、第２接触部４４は、突部４５を介してＸＹ平面には付勢力を加えられるが、Ｚ軸方向へは付勢力を加えない。したがって、第２接触部４４は、撮像素子パッケージ１２に対してＺ軸方向の付勢力を加えることはない。
【００４０】
第２接触部４４に突部４５を設けることにより、付勢部材２０は、図４で説明した構造よりも、ＸＹ平面に変形しやすくなった。よって、保護ガラス２８と弾性部材１８の密着性を、向上させることができる。
【００４１】
図５（ｂ）は、弾性部材１８のさらに別の変形例を模式的に拡大して示す図である。弾性部材１８は、ベース部１９、第１接触部３８および第２接触部４７を含む。第２接触部４７は、ベース部１９からＸ軸プラス方向に延出し、さらに突部４８および溝部４９を有して形成される。突部４８は、保護ガラス２８の外周を環囲するように形成される。突部４８の内周は、ＸＹ平面において保護ガラス２８よりも小さく形成される。したがって、突部４８は、保護ガラス２８の外周と密着する。
【００４２】
溝部４９は、ＸＹ平面に環状で、Ｚ軸方向に深さを有して形成される。第２接触部４７は、溝部４９により突部４８がＸ軸方向へ変形しやすく形成される。したがって、保護ガラス２８の外周が突部４８を付勢した場合に、突部４８は変形する。しかしながら、ベース部１９には突部４８の変形に伴う力は伝達されないので、ベース部１９は変形しない。つまり、第２接触部４７は、突部４８を介してＸＹ平面には付勢力を加えられるが、Ｚ軸方向へは付勢力を加えない。したがって、第２接触部４７は、撮像素子パッケージ１２に対してＺ軸方向の付勢力を加えることはない。
【００４３】
第２接触部４７に溝部４９および突部４８を設けることにより、付勢部材２０は、図４で説明した構造よりも、ＸＹ平面にさらに変形しやすくなった。よって、保護ガラス２８と弾性部材１８の密着性を、向上させることができる。さらに、第２接触部４７は、突部４８の内壁面が保護ガラス２８と接触するので、接触面が広くなり密封性を高めることができる。
【００４４】
図６は、図３における撮像素子ユニットのＢ部の変形例を模式的に示した部分拡大図である。以上の実施形態においては、弾性部材１８は、保護ガラス２８の外周を環囲して密着することにより、光学部材１６と撮像素子パッケージ１２の間に密封空間を形成する例を示した。しかしながら、弾性部材１８は、壁部２６の壁面を環囲して密着することにより、光学部材１６と撮像素子パッケージ１２の間に密封空間を形成してもよい。なお、図６に示す変形例においても、弾性部材１８は、壁部２６の壁面、支持部材１４のＺ軸マイナス側の面および光学部材１６のＺ軸プラス側の面と密着する。すなわち、図４を用いて説明した撮像素子ユニット１０と同様に、弾性部材１８は、光学部材１６と撮像素子パッケージ１２の間に密封空間を形成することができる。なお、以下の変形例における主な要素は、上記の実施形態で説明した撮像素子ユニット１０と同様であるので、同じ要素に同一番号を付してその説明を省略する。
【００４５】
図６（ａ）は、図４に示した撮像素子ユニット１０に対応する変形例を模式的に示した部分拡大図である。弾性部材１８は、ベース部１９、第１接触部３８および第２接触部４２を含む。第２接触部４２は、ベース部１９からＸ軸プラス方向に延出し、さらにＺ軸プラス方向に延出して形成される。第２接触部４２の内周は、ＸＹ平面において壁部２６の外形よりも小さく形成される。第２接触部４２は、支持部材１４と壁部２６の壁面との隙間に配置される。したがって、第２接触部４２は、壁部２６の壁面と密着する。
【００４６】
壁部２６は、保護ガラス２８の側面よりも剛性が高い。したがって、第２接触部４２は、壁部２６の壁面を環囲して密着することにより、光学部材１６と撮像素子パッケージ１２の間に密封空間を形成することが好ましい。弾性部材１８は、壁部２６の壁面と密着することにより、保護ガラス２８には弾性部材１８の付勢力が加わらない。ゆえに、保護ガラス２８は、壁部２６から剥離されにくくなる。また、保護ガラス２８を破損しない観点からも、弾性部材１８は、保護ガラス２８の外周ではなく、壁部２６の壁面と密着することが好ましい。
【００４７】
図６（ｂ）は、図５（ａ）に示した撮像素子ユニット１０に対応する変形例を模式的に示した部分拡大図である。弾性部材１８は、ベース部１９、第１接触部３８および第２接触部４６を含む。第２接触部４６は、ベース部１９からＸ軸プラス方向に延出し、さらにＺ軸プラス方向に延出して形成される。第２接触部４６は、Ｚ軸プラス方向に延出した領域に突部５２を有する。突部５２は、壁部２６の壁面を環囲するように形成される。突部５２は、ＸＹ平面において壁部２６の外形よりも小さく形成される。したがって、突部５２は、壁部２６の外壁面と密着する。
【００４８】
突部５２は、ベース部１９に対して相対的に小さく形成される。したがって、図６（ｂ）においては、突部５２は、壁部２６の壁面と密着している。なお、突部５２は、壁部２６の壁面を環囲するので、壁面によりＸ軸プラス方向、Ｙ軸プラス方向およびＹ軸マイナス方向へも同様に付勢される。
【００４９】
第２接触部４６は、突部５２がＸ軸方向へ変形しやすく形成される。したがって、壁部２６が突部５２を付勢した場合に、突部５２は変形する。しかしながら、ベース部１９に突部５２の変形に伴う力は伝達されないので、ベース部１９は変形しない。つまり、第２接触部４６は、突部５２を介してＸＹ平面には付勢力を加えられるが、Ｚ軸方向へは付勢力を加えない。したがって、第２接触部４６は、撮像素子パッケージ１２に対してＺ軸方向の付勢力を加えることはない。
【００５０】
第２接触部４６に突部５２を設けることにより、付勢部材２０は、図６（ａ）で説明した構造よりも、ＸＹ平面に変形しやすくなった。よって、保護ガラス２８と弾性部材１８の密着性を、向上させることができる。
【００５１】
図６（ｃ）は、図５（ｂ）に示した撮像素子ユニット１０に対応する変形例を模式的に示した部分拡大図である。弾性部材１８は、ベース部１９、第１接触部３８および第２接触部５０を含む。第２接触部５０は、ベース部１９からＸ軸プラス方向に延出し、さらにＺ軸プラス方向に延出して形成される。第２接触部５０は、Ｚ軸プラス方向に延出した領域に溝部５１および突部５４を有して形成される。突部５４は、壁部２６の壁面を環囲するように形成される。突部５４は、ＸＹ平面において壁部２６の外形よりも小さく形成される。したがって、突部５４は、壁部２６の外壁面と密着する。
【００５２】
溝部５１は、ＸＹ平面には環状で、Ｚ軸方向に深さを有して形成される。第２接触部５０は、溝部５１により突部５２がＸ軸方向へ変形しやすく形成される。したがって、壁部２６の壁面が突部５４を付勢した場合に、突部５４は変形する。しかしながら、ベース部１９には突部５４の変形に伴う力は伝達されないので、ベース部１９は変形しない。つまり、第２接触部５０は、突部５４を介してＸＹ平面には付勢力を加えられるが、Ｚ軸方向へは付勢力を加えない。したがって、第２接触部５０は、撮像素子パッケージ１２に対してＺ軸方向の付勢力を加えることはない。
【００５３】
図７は、撮像素子ユニット１０のさらに別の変形例を模式的に示した部分拡大図である。本実施形態においては、弾性部材１８と封止部材６２が、光学部材１６と撮像素子パッケージ１２の間に密封空間を形成する。なお、図７に示す変形例においても、弾性部材１８は、支持部材１４のＺ軸マイナス側の面および光学部材１６のＺ軸プラス側の面と密着する。そして、封止部材６２が撮像素子パッケージ１２の外周と密着する。すなわち、図４から図６を用いて説明した撮像素子ユニット１０と同様に、弾性部材１８は、光学部材１６と撮像素子パッケージ１２の間に密封空間を形成することができる。なお、本実施形態における主な要素は、以上の実施形態で説明した撮像素子ユニット１０と同様であるので、同じ要素に同一番号を付してその説明を省略する。
【００５４】
図７（ａ）においては、弾性部材１８が、光学部材１６と支持部材１４の間を密封する。さらに、封止部材６２は、保護ガラス２８と弾性部材１８の間を密封する。弾性部材１８は、ＸＹ平面において挿通孔３２に沿って開口部３４が形成される。
【００５５】
封止部材６２は、例えばＯリングである。封止部材６２は、開口部３４の壁面と保護ガラス２８の外周面の間に配置される。封止部材６２は、保護ガラス２８の外周面を環囲して密着する。封止部材６２は、保護ガラス２８の側面により付勢力が加えられる。同様に、封止部材６２は、弾性部材１８により付勢力が加えられる。封止部材６２は、保護ガラス２８を環囲する。そして、弾性部材１８の開口部３４は封止部材６２を環囲する。したがって、弾性部材１８と封止部材６２により、光学部材１６と保護ガラス２８の間に密封空間を形成することができる。
【００５６】
なお、封止部材６２は、一般的な形状のＯリングを使用できるので、形状が簡素化でき、部品コストを削減することができる。さらに、弾性部材１８は、封止部材６２と同様にＯリングであってもよい。弾性部材１８は、Ｏリングを使用することにより、形状が簡素化でき、部品コストを削減することができる。
【００５７】
なお、以上の実施形態においては、封止部材６２は、保護ガラス２８と弾性部材１８の間に密着して配置される例を示した。しかしながら、挿通孔３２の側面が保護ガラス２８と対抗している場合は、封止部材６２は、保護ガラス２８と挿通孔３２の側面に密着して配置されてもよい。
【００５８】
図７（ｂ）は、図７（ａ）における撮像素子ユニット１０の変形例を示す図である。弾性部材１８は、光学部材１６と支持部材１４の間を密封する。さらに、封止部材６２は、壁部２６の壁面と挿通孔３２の間を密封する。
【００５９】
封止部材６２は、例えばＯリングである。封止部材６２は、壁部２６と壁部２６に対向する挿通孔３２の側面に配置される。封止部材６２は、壁部２６の外周面を環囲して密着する。封止部材６２は、壁部２６の壁面により付勢力が加えられる。同様に、封止部材６２は、支持部材１４により付勢力が加えられる。封止部材６２は、壁部２６の壁面を環囲する。そして、挿通孔３２は封止部材６２を環囲する。したがって、挿通孔３２と封止部材６２により、光学部材１６と撮像素子パッケージ１２の間に密封空間を形成することができる。封止部材６２は、弾性部材１８よりも硬い支持部材１４の側面に付勢される。ゆえに、密着性を向上させることができる。
【００６０】
以上の実施形態においては、撮像素子パッケージ１２が保護ガラス２８を有する例を示した。撮像素子パッケージ１２が保護ガラス２８を有さない場合は、弾性部材１８は、光学部材１６、支持部材１４および壁部２６の壁面に密着させて配置されればよい。これにより、弾性部材１８は、光学部材１６と撮像素子パッケージ１２との間に封密空間を形成することができる。
【００６１】
なお、保護ガラス２８を有さない撮像素子パッケージ１２に対して封止部材６２を使用する場合は、図７（ｂ）に示したように、封止部材６２は、壁部２６の外壁と密着すればよい。弾性部材１８と封止部材６２は、光学部材１６と撮像素子パッケージ１２との間に封密空間を形成することができる。
【００６２】
以上の実施形態においては、第１接触部および第２接触部の形状により、Ｚ軸方向の付勢力および撮像素子パッケージ１２の側面方向の付勢力が、互いに影響しないような形状を定めた。しかしながら、第１接触部および第２接触部は、上記の実施形態で説明した形状に限るものではなく、様々な形状にすることができる。
【００６３】
また、弾性部材１８は、二色成型により形成されてもよい。二色成型により弾性部材１８を形成すれば、第１接触部および第２接触部の弾性力を互いに異ならせることができる。
【００６４】
弾性部材１８は、導電ゴムにより形成されてもよい。導電ゴムを使用することにより、電気的な接地を行うことができる。これにより、撮像素子ユニット１０は、静電気による誤作動を防ぐことができる。
【００６５】
以上の実施形態においては、光学部材１６がローパスフィルタである例を示した。しかしながら、ローパスフィルタ等の光学フィルタを使用しない撮像素子ユニットの場合は、光学部材１６は、ガラス板であってもよい。光学部材１６としてガラス板を使用することにより、ガラス板と撮像素子パッケージ１２の間は密封される。したがって、撮像素子パッケージ１２には、塵等の異物が付着しにくくなる。
【００６６】
以上の実施形態においては、支持部材１４が金属材料により形成される例を示した。撮像素子パッケージ１２は、発熱するので、放熱性の観点から支持部材１４は金属材料により形成されることが好ましい。しかしながら、支持部材１４は、樹脂材料により形成されてもよい。支持部材１４を樹脂材料により形成すれば、コストダウンができる。
【００６７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００６８】
１０  撮像素子ユニット、１２  撮像素子パッケージ、１４  支持部材、１６  光学部材、１８  弾性部材、１９  ベース部、２０  付勢部材、２２  ビス、２３  基台部、２４  周縁部、２６  壁部、２７  撮像チップ、２８  保護ガラス、３０  基板、３２  挿通孔、３４、３６  開口部、３８  第１接触部、４０、４２、４４、４６、４７、５０  第２接触部、４５、４８、５２、５４  突部、４９、５１  溝部、６２  封止部材
【図１】
2015076671.tif 000003
【図２】
2015076671.tif 000004
【図３】
2015076671.tif 000005
【図４】
2015076671.tif 000006
【図５】
2015076671.tif 000007
【図６】
2015076671.tif 000008
【図７】
2015076671.tif 000009